(57)【要約】【課題】内部の制御信号と、外部機器から入力される信号とに応じて、駆動手段の駆動制御を容易に行うことである。【解決手段】ＰＯＳ端末１０は、駆動手段としてのインバータ１７２と、インバータ１７２を駆動制御する表示バックライト外部制御回路１９ｂと、ＣＯＭ通信部２１と、ＣＯＭ通信部２１及び外部機器としての人感センサ３１に接続され、人感センサ３１に接続されている信号線を分岐するバッファ回路２０と、インバータ１７２の駆動制御信号を生成する表示バックライトインバータ制御部１８と、を備え、表示バックライト外部制御回路１９ｂは、表示バックライトインバータ制御部１８により生成された駆動制御信号と、人感センサ３１から入力される人間の検知信号と、を論理積してインバータ１７２に出力するＡＮＤ回路を備える。【選択図】図２
2010170374.tif 000002
【特許請求の範囲】
【請求項１】
駆動制御のための信号に応じて駆動を行う駆動手段と、
前記駆動手段を駆動制御する駆動制御手段と、
前記駆動手段の駆動のオン／オフを示す外部信号を出力する外部機器と通信するための通信手段と、
前記通信手段に接続され、前記外部機器が接続可能であるとともに、当該外部機器に接続される信号線を分岐するバッファ回路と、
前記駆動手段の駆動のオン／オフを制御するための駆動制御信号を生成する駆動制御信号生成手段と、を備え、
前記駆動制御手段は、
前記バッファ回路により分岐された信号線に接続され、前記駆動制御信号生成手段により生成された駆動制御信号と、前記分岐された信号線を介して入力される前記外部信号と、を論理積して前記駆動手段に出力するＡＮＤ回路を備える駆動制御装置。
【請求項２】
前記駆動手段に電源信号を出力して電源供給を行う電源供給手段を備え、
前記駆動制御信号生成手段は、少なくとも前記駆動手段へ電源信号が入力されている状態においてハイにされる駆動制御信号を生成する請求項１に記載の駆動制御装置。
【請求項３】
前記外部機器は、人感センサ、照度センサ又は音センサである請求項１又は２に記載の駆動制御装置。
【請求項４】
前記駆動手段は、液晶表示手段のバックライトを駆動するインバータ、スピーカのアンプ、又はＨＤＤのモータである請求項１から３のいずれか一項に記載の駆動制御装置。
【請求項５】
前記駆動制御手段は、
前記ＡＮＤ回路の出力端子と、前記駆動制御信号生成手段の駆動制御信号の出力端子と、を切り替えて前記駆動手段の入力端子に接続する選択回路を備える請求項１から４のいずれか一項に記載の駆動制御装置。
【発明の詳細な説明】
【技術分野】
【０００１】
本発明は、駆動手段の駆動を制御する駆動制御装置に関する。
【背景技術】
【０００２】
従来、コンビニエンスストア、個人商店等の店舗用の端末として、商品購入金額等の登録に使用するＰＯＳ（Point Of Sale）端末（レジ端末）、チケット購入やデジカメプリント申し込み等を受け付けるキオスク端末、広告を流すといった顧客の販売意欲を高めるためのＰＯＰ（Point Of Purchase）端末等が知られている。また、オプション品と組み合わせることで、上記何れの用途にも使用できるＰＯＳ端末が知られている。
【０００３】
キオスク端末、ＰＯＰ端末は、顧客が直接操作する端末である。キオスク端末、ＰＯＰ端末に、人感センサが接続され、省電力のために、人感センサが顧客を検知していない間に表示部を消灯し、人感センサが顧客を検知すると表示部を点灯する制御が行われることがある。
【０００４】
表示部の点灯／消灯を制御する技術としては、表示部がＬＣＤ（Liquid Crystal  Display）である携帯機器において、主制御回路がプログラム制御により、外部機器から携帯機器への設定をしている間に、表示部のバックライトを点灯する構成が考えられている（例えば、特許文献１参照）。
【０００５】
図６を参照して、ＰＯＳ端末（レジ端末）、キオスク端末又はＰＯＰ端末として使用できる従来のＰＯＳ端末４０を説明する。図６に、ＰＯＳ端末４０の機能構成を示す。
【０００６】
ＰＯＳ端末４０は、制御部１１Ａと、ＲＡＭ（Random Access Memory）１２と、フラッシュメモリ１３と、ＨＤＤ（Hard Disk Drive）１４Ａと、ＬＡＮ（Local Area Network）通信部１５と、入力部１６と、表示部１７と、表示バックライトインバータ制御部１８Ａと、ＣＯＭ通信部２１と、を備え、各部がバス２５Ａで接続されている。
【０００７】
制御部１１Ａは、ＣＰＵ（Central Processing Unit）、又はＣＰＵを含むチップセットである。ＲＡＭ１２は、データ、プログラムを一時的に記憶するメモリである。フラッシュメモリ１３は、ＢＩＯＳ（Basic Input/Output System）プログラムが記憶されている。ＨＤＤ１４Ａは、各種データ、ＯＳ（Operating System）プログラム及び各種アプリケーションプログラム、が記憶されている。ＬＡＮ通信部１５は、ＬＡＮ通信方式の通信部である。
【０００８】
入力部１６は、表示部１７に一体的に形成されているタッチパネルのタッチパッドである。表示部１７は、ＬＣＤであり、液晶部（図示略）と、バックライト１７１と、インバータ１７２と、を備える。バックライト１７１は、冷陰極管等の光源を有し、この光源から液晶部透過用の光を出射する。インバータ１７２は、表示バックライトインバータ制御部１８Ａから入力される直流信号を、バックライト１７１を点灯するための交流信号に変換してバックライト１７１に出力する。
【０００９】
表示バックライトインバータ制御部１８Ａは、バックライト１７１点灯／消灯の制御信号を生成し、当該制御信号及び直流の電源信号をインバータ１７２に出力する。ＣＯＭ通信部２１は、ＲＳ−２３２Ｃ方式の通信部である。
【００１０】
ＰＯＳ端末４０を、キオスク端末又はＰＯＰ端末として使用し、ＰＯＳ端末４０に人感センサ５１を接続する構成を説明する。
【００１１】
人感センサ５１は、人間の所在を検知するセンサであり、ＣＯＭ通信部２１に接続されている。人感センサ５１は、ＰＯＳ端末４０の前に所在する人間（操作を行う顧客）を検知するよう調整されている。
【００１２】
ＰＯＳ端末４０において、省電力のために、人感センサ５１が顧客を検知していない間に表示部１７のバックライト１７１を消灯し、人感センサ５１が顧客を検知するとバックライト１７１を点灯する制御が行われる。この点灯／消灯制御機能が、ＨＤＤ１４Ａに記憶されているアプリケーションプログラムに組み込まれている。つまり、制御部１１Ａは、ＨＤＤ１４Ａから読み出されてＲＡＭ１２に展開された点灯／消灯制御機能を実現するためのアプリケーションプログラムに従い、ＣＯＭ通信部２１を介して人感センサ５１から入力される検知信号に応じて、表示バックライトインバータ制御部１８を介してバックライト１７１の点灯／消灯制御を行う。
【先行技術文献】
【特許文献】
【００１３】
【特許文献１】特開２００２−３４４６４６号公報
【発明の概要】
【発明が解決しようとする課題】
【００１４】
しかし、従来のＰＯＳ端末４０では、バックライト１７１の点灯／消灯制御用のプログラムを用意してアプリケーションプログラムに組み込む必要があるため、その点灯／消灯制御用のプログラムの開発、設定の負担が大きかった。
【００１５】
本発明の課題は、内部の制御信号と、人感センサ等の外部機器から入力される信号とに応じて、液晶表示手段のインバータ等の駆動手段の駆動制御を容易に行うことである。
【課題を解決するための手段】
【００１６】
上記課題を解決するために、請求項１に記載の発明の駆動制御装置は、
駆動制御のための信号に応じて駆動を行う駆動手段と、
前記駆動手段を駆動制御する駆動制御手段と、
前記駆動手段の駆動のオン／オフを示す外部信号を出力する外部機器と通信するための通信手段と、
前記通信手段に接続され、前記外部機器が接続可能であるとともに、当該外部機器に接続される信号線を分岐するバッファ回路と、
前記駆動手段の駆動のオン／オフを制御するための駆動制御信号を生成する駆動制御信号生成手段と、を備え、
前記駆動制御手段は、
前記バッファ回路により分岐された信号線に接続され、前記駆動制御信号生成手段により生成された駆動制御信号と、前記分岐された信号線を介して入力される前記外部信号と、を論理積して前記駆動手段に出力するＡＮＤ回路を備える。
【００１７】
請求項２に記載の発明は、請求項１に記載の駆動制御装置において、
前記駆動手段に電源信号を出力して電源供給を行う電源供給手段を備え、
前記駆動制御信号生成手段は、前記駆動手段へ電源信号が入力されている状態においてハイにされる駆動制御信号を生成する。
【００１８】
請求項３に記載の発明は、請求項１又は２に記載の駆動制御装置において、
前記外部機器は、人感センサ、照度センサ又は音センサである。
【００１９】
請求項４に記載の発明は、請求項１から３のいずれか一項に記載の駆動制御装置において、
前記駆動手段は、液晶表示手段のバックライトを駆動するインバータ、スピーカのアンプ、又はＨＤＤのモータである。
【００２０】
請求項５に記載の発明は、請求項１から４のいずれか一項に記載の駆動制御装置において、
前記駆動制御手段は、
前記ＡＮＤ回路の出力端子と、前記駆動制御信号生成手段の駆動制御信号の出力端子と、を切り替えて前記駆動手段の入力端子に接続する選択回路を備える。
【発明の効果】
【００２１】
本発明によれば、内部の駆動制御信号と、外部機器から入力される外部信号とに応じて、駆動手段の駆動制御を容易に行うことができる。
【図面の簡単な説明】
【００２２】
【図１】本発明に係る実施の形態のＰＯＳ端末の外観を示す図である。
【図２】実施の形態のＰＯＳ端末の機能構成を示すブロック図である。
【図３】電源供給部及び表示バックライト外部制御回路の内部構成を示す図である。
【図４】人感センサを用いない場合のＰＯＳ端末における各種信号を示すタイムチャートである。
【図５】人感センサを用いる場合のＰＯＳ端末における各種信号を示すタイムチャートである。
【図６】従来のＰＯＳ端末の機能構成を示すブロック図である。
【発明を実施するための形態】
【００２３】
以下、添付図面を参照して本発明に係る実施の形態を詳細に説明する。なお、本発明は、図示例に限定されるものではない。
【００２４】
図１〜図３を参照して本発明に係る実施の形態の装置構成を説明する。図１に、本実施の形態のＰＯＳ端末１０の外観を示す。
【００２５】
図１に示すＰＯＳ端末１０は、ＰＯＳ端末（レジ端末）、キオスク端末、ＰＯＰ端末として使用できる端末装置である。ＰＯＳ端末１０は、ＬＣＤの表示部１７を備える。表示部１７は、入力部１６と一体的にタッチパネルとして構成されている。
【００２６】
ＰＯＳ端末１０がレジ端末として使用される場合に、入力部１６がキャッシャーのタッチ入力を受け付ける。ＰＯＳ端末１０がキオスク端末又はＰＯＰ端末として使用される場合に、入力部１６が顧客のタッチ入力を受け付ける。
【００２７】
また、ＰＯＳ端末１０がキオスク端末又はＰＯＰ端末として使用される場合に、人感センサ３１がＰＯＳ端末１０に接続されうる。人感センサ３１は、赤外線、超音波、可視光等を用いて、人間の所在を検知するセンサである。人感センサ３１は、ＰＯＳ端末１０を直接タッチ操作する顧客の所在を検知するように調整及び設置されている。人感センサ３１は、顧客の所在を検知し、その検知結果を示す検知信号を出力する。ＰＯＳ端末１０において、人感センサ３１が顧客の所在を検知していない間に、表示部１７が消灯され、人感センサ３１が顧客の所在を検知すると、表示部１７が点灯する制御がなされる。
【００２８】
次いで、図２を参照して、ＰＯＳ端末１０の内部構成を説明する。図２に、ＰＯＳ端末１０の機能構成を示す。
【００２９】
図２に示すように、ＰＯＳ端末１０は、制御部１１と、ＲＡＭ１２と、フラッシュメモリ１３と、ＨＤＤ１４と、ＬＡＮ通信部１５と、入力部１６と、表示部１７と、駆動制御信号生成手段としての表示バックライトインバータ制御部１８と、電源供給手段としての電源供給部１９ａと、駆動制御手段としての表示バックライト外部制御回路１９ｂと、バッファ回路２０と、通信手段としてのＣＯＭ通信部２１，２２，２３，２４と、を備える。制御部１１、ＲＡＭ１２、フラッシュメモリ１３、ＨＤＤ１４、ＬＡＮ通信部１５、入力部１６、表示部１７、表示バックライトインバータ制御部１８、ＣＯＭ通信部２１，２２，２３，２４は、バス２５を介して接続されている。
【００３０】
制御部１１は、ＣＰＵ、又はＣＰＵを含むチップセットであり、ＰＯＳ端末１０の各部を中央制御する。制御部１１は、フラッシュメモリ１３又はＨＤＤ１４からプログラムを読み出してＲＡＭ１２に展開し、その展開されたプログラムとの協働で各種処理を行う。
【００３１】
ＲＡＭ１２は、揮発性のメモリであり、データ、プログラムを一時的に格納するワークエリアを有する。フラッシュメモリ１３は、各種情報を書き換え可能に記憶する不揮発性のメモリである。フラッシュメモリ１３には、ＢＩＯＳプログラムが記憶されている。
【００３２】
ＨＤＤ１４は、磁気記録媒体を有し、各種情報を書き換え可能に記憶する。ＨＤＤ１４には、各種データ、ＯＳプログラム及び各種アプリケーションプログラムが記憶されている。
【００３３】
ＬＡＮ通信部１５は、ＬＡＮ通信を行うための通信部であり、ネットワークカード等により構成されている。ＬＡＮ通信部１５は、ＰＯＳサーバ等との通信に用いられる。
【００３４】
入力部１６は、操作者のタッチ入力を受け付ける抵抗膜方式等のタッチパッドであり、表示部１７と一体的にタッチパネルとして構成されている。入力部１６は、操作者のタッチによる位置情報入力を受け付け、その位置情報を制御部１１に出力する。
【００３５】
表示部１７は、ＬＣＤであり、制御部１１から入力される表示信号に応じて画面表示を行う。表示部１７は、液晶部（図示略）と、バックライト１７１と、駆動手段としてのインバータ１７２とを備える。バックライト１７１は、冷陰極管等の光源を有し、この光源から液晶部透過用の光を出射する。インバータ１７２は、直流信号を交流信号に変換する変換部である。インバータ１７２は、表示バックライト外部制御回路１９ｂから入力される直流信号を、バックライト１７１を点灯するための交流信号に変換してバックライト１７１に出力する。このように、インバータ１７２は、バックライト１７１の電源回路として機能する。
【００３６】
表示バックライトインバータ制御部１８は、制御部１１の指示に従い、インバータ１７２へ供給する電源信号のオン／オフを制御するための電源制御信号を生成して電源供給部１９ａに出力する。また、表示バックライトインバータ制御部１８は、制御部１１の指示に従い、インバータ１７２の駆動を制御するための駆動制御信号を生成して表示バックライト外部制御回路１９ｂに出力する。
【００３７】
電源供給部１９ａは、表示バックライトインバータ制御部１８から入力される電源制御信号に応じて、電源信号を生成してインバータ１７２に出力する。
【００３８】
表示バックライト外部制御回路１９ｂは、表示バックライトインバータ制御部１８及びバッファ回路２０から入力される駆動制御信号及び検知信号に応じて、インバータ１７２の駆動を制御するための駆動制御信号を新たに生成してインバータ１７２に出力する。電源供給部１９ａ及び表示バックライト外部制御回路１９ｂの内部構成は、詳細に後述される。
【００３９】
バッファ回路２０は、人感センサ３１等の外部機器から入力される信号の電圧を、より低い電圧に変換するとともに、外部機器から入力される信号のノイズを防ぐ回路である。ＣＯＭ通信部２１〜２４は、ＲＳ−２３２Ｃ方式の通信部である。図示していないが、ＣＯＭ通信部２２〜２４は、ＣＯＭ通信部２１及びバッファ回路２０と同様に、外部機器との間にバッファ回路が設けれられている。
【００４０】
ＣＯＭ通信部２１は、ＲＩ（Ring Indicator）信号線と、通常の通信信号に必要な信号線と、を含む複数の信号線を介してバッファ回路２０と接続されている。また、バッファ回路２０は、上記複数の信号線のうち、ＲＩ信号線を分岐する。この分岐されたＲＩ信号線は、表示バックライト外部制御回路１９ｂに接続されている。ＣＯＭ通信部２２〜２４は、ＲＩ信号線と、通常の信号に必要な信号線と、を含む複数の信号線を介してバッファ回路（図示略）と接続されている。
【００４１】
ＰＯＳ端末１０は、キオスク端末又はＰＯＰ端末として使用される場合に、人感センサ３１を接続可能である。この場合に、表示バックライト外部制御回路１９ｂに接続されているＲＩ信号線は、バッファ回路２０を介して、人感センサ３１の１本の信号線（人間検知のオン／オフ信号線）に接続される。
【００４２】
ＰＯＳ端末１０は、レジ端末として使用される場合に、レジ端末に必要な外部機器としての決済端末３２、バーコードリーダ３３、プリンタ３４等に接続可能である。決済端末３２は、クレジットカードによる電子決済の際に、顧客の電子決済用のクレジットカードのカード情報を読み取る端末装置である。プリンタ３４は、レシート等を印刷出力するプリンタである。例えば、決済端末３２、バーコードリーダ３３、プリンタ３４が、それぞれ順に、バッファ回路（図示略）及び複数の信号線を介して、ＣＯＭ通信部２２，２３，２４に接続される。
【００４３】
次いで、図３を参照して、表示バックライト外部制御回路１９ｂを詳細に説明する。図３に、電源供給部１９ａ及び表示バックライト外部制御回路１９ｂの内部構成を示す。
【００４４】
図３に示すように、インバータ１７２は、信号Ｖinvと、信号Ｉnv＿Enとが入力される。信号Ｖinvは、インバータ１７２に供給される電源信号である。信号Ｉnv＿Enは、インバータ１７２の駆動のオン／オフを制御するための駆動制御信号である。表示バックライトインバータ制御部１８は、信号Ｓ１，Ｓ２を出力する。信号Ｓ１は、インバータ１７２への信号Ｖinvの印加のオン／オフを制御するための電源制御信号である。信号Ｓ２は、制御部１１の指示に応じた信号であり、インバータ１７２の駆動のオン／オフを制御するための駆動制御信号である。また、信号Ｓ２は、少なくとも信号Ｓ１がハイになっている状態においてハイにされる信号である。信号Ｓ１，Ｓ２は、表示バックライトインバータ制御部１８により生成される。
【００４５】
ＲＩ信号は、ＲＩ信号線を流れる信号であり、人感センサ３１の出力信号となる。つまり、ＲＩ信号は、人感センサ３１による人間の検知信号となり、人感センサ３１により人間が検知された場合にオン（ハイ）となり、人間が検知されていない場合にオフ（ロー）となる信号である。また、ＲＩ信号は、インバータ１７２の駆動のオン／オフを制御するための駆動制御信号として機能する。
【００４６】
電源供給部１９ａは、ＦＥＴ（Field effect transistor）１９１を有する。表示バックライト外部制御回路１９ｂは、ＡＮＤ回路１９２と、選択回路１９３と、を有する。
【００４７】
ＦＥＴ１９１は、ＮＭＯＳＦＥＴで構成されている。ＦＥＴ１９１は、ゲートが表示バックライトインバータ制御部１８の信号Ｓ１の出力端子に接続され、ドレインが直流電源ＤＣＩＮに接続され、ソースが信号Ｖinvの出力端子となり、インバータ１７２の信号Ｖinvの入力端子に接続されている。
【００４８】
ＡＮＤ回路１９２は、２つの入力の論理積を行い出力する回路である。ＡＮＤ回路１９２は、第１の入力端子がバッファ回路２０及びＣＯＭ通信部２１間のＲＩ信号線に接続され、第２の入力端子が表示バックライトインバータ制御部１８の信号Ｓ２の出力端子に接続され、出力端子が選択回路１９３の第１の入力端子に接続されている。
【００４９】
選択回路１９３は、３端子のスイッチであり、２つの入力端子を切り替えて出力端子に接続するスイッチである。選択回路１９３は、例えば、ディップスイッチで構成され、ＰＯＳ端末１０の設置時に、作業者により切り替え設定入力される。選択回路１９３は、第１の入力端子がＡＮＤ回路１９２の出力端子に接続され、第２の入力端子が表示バックライトインバータ制御部１８の信号Ｓ２の出力端子に接続され、出力端子がインバータ１７２の信号Ｉnv＿Enの入力端子に接続されている。
【００５０】
次に、図４及び図５を参照して、電源供給部１９ａ及び表示バックライト外部制御回路１９ｂの動作を説明する。図４に、人感センサ３１を用いない場合のＰＯＳ端末１０における各種信号のタイムチャートを示す。図５に、人感センサ３１を用いる場合のＰＯＳ端末１０における各種信号のタイムチャートを示す。
【００５１】
先ず、図４を参照して、人感センサ３１を用いない場合の電源供給部１９ａ及び表示バックライト外部制御回路１９ｂの動作を説明する。
【００５２】
ＰＯＳ端末１０において、人感センサ３１を用いない場合に、選択回路１９３の入力は、表示バックライトインバータ制御部１８の信号Ｓ２の出力端子側に切り替え設定されている。図４に示すように、直流電源ＤＣＩＮは、常時供給されている。ＰＯＳ端末１０の電源がオフの状態において、ＰＯＳ端末１０の電源がオンされると、制御部１１によりフラッシュメモリ１３からＢＩＯＳプログラムが読み出されてＲＡＭ１２に展開され、展開されたＢＩＯＳプログラムとの協働で制御部１１がＢＩＯＳの処理を開始する。そして、制御部１１の制御に従い、表示バックライトインバータ制御部１８により信号Ｓ１がオンされ、ＦＥＴ１９１がオンされて信号Ｖinvがオンされ、インバータ１７２に直流電源ＤＣＩＮの電源電圧が供給される。
【００５３】
そして、ＢＩＯＳ画面の有意な情報が表示可能になってから、制御部１１の制御に従い、表示バックライトインバータ制御部１８により信号Ｓ２がオンされて信号Ｉnv＿Enがオンされ、インバータ１７２の駆動がオンされる。このように、電源オンによるバックライト１７１の点灯時に、信号Ｖinvの立ち上がり後に信号Ｉnv＿Enの立ち上がりがなされるのは、インバータ１７２を痛めない（保護する）ようにするためである。
【００５４】
そして、インバータ１７２の駆動によりバックライト１７１が点灯されて、ＢＩＯＳ画面が表示部１７に表示される。ＢＩＯＳ画面は、ＶＧＡ（Video Graphics Array）（解像度が低い状態）の画面である。
【００５５】
そして、制御部１１によりＨＤＤ１４からＯＳプログラムが読み出されてＲＡＭ１２に展開され、展開されたＯＳプログラムとの協働で制御部１１がＯＳの処理を開始する。そして、制御部１１の制御に従い、表示バックライトインバータ制御部１８により信号Ｓ２がオフされて信号Ｉnv＿Enがオフされ、インバータ１７２の駆動がオフされ、バックライト１７１が消灯される。そして、制御部１１の制御に従い、表示バックライトインバータ制御部１８により信号Ｓ２がオンされて信号Ｉnv＿Enがオンされ、インバータ１７２の駆動がオンされる。
【００５６】
インバータ１７２の駆動によりバックライト１７１が点灯されて、ＯＳ画面が表示部１７に表示される。ＯＳ画面は、例えば、ＸＧＡ（eXtended Graphics Array）（解像度が高い状態）の画面である。このように、ＢＩＯＳ画面表示からＯＳ画面表示への切り替え時に信号Ｉnv＿Enがオフされるのは、解像度変更時の表示のちらつきを防止するためである。
【００５７】
ＯＳが立ち上がり、業務が始まった後も、省電力設定がなされていれば、省電力によるバックライト１７１の消灯がなされる。つまり、所定時間、入力部１６の操作入力がない場合に、制御部１１の制御に従い、表示バックライトインバータ制御部１８により信号Ｓ２がオフされ、信号Ｉnv＿Enがオフされ、インバータ１７２の駆動がオフされ、バックライト１７１が消灯される。この状態で、入力部１６の操作入力があると、制御部１１の制御に従い、表示バックライトインバータ制御部１８により信号Ｓ２がオンされ、信号Ｉnv＿Enがオンされ、インバータ１７２の駆動がオンされ、バックライト１７１が点灯される。
【００５８】
省電力によるバックライト１７１のオン／オフ時に、信号Ｖinvがオンされた状態で、信号Ｉnv＿Enがオン／オフされるので、インバータ１７２を痛めることがない。
【００５９】
そして、ＰＯＳ端末１０が電源オフされると、制御部１１の制御に従い、表示バックライトインバータ制御部１８により信号Ｓ２がオフされて信号Ｉnv＿Enがオフされ、インバータ１７２の駆動がオフされる。インバータ１７２の駆動オフにより、バックライト１７１が消灯され、ＯＳ画面も表示終了される。そして、制御部１１の制御に従い、表示バックライトインバータ制御部１８により信号Ｓ１がオフされ、ＦＥＴ１９１がオフされて信号Ｖinvがオフされ、インバータ１７２への直流電源ＤＣＩＮの電源電圧供給が終了する。
【００６０】
電源オフによるバックライト１７１の消灯時に、信号Ｖinvがオンされた状態で、信号Ｉnv＿Enがオフされるので、インバータ１７２を痛めることがない。
【００６１】
次いで、図５を参照して、人感センサ３１を用いる場合の電源供給部１９ａ及び表示バックライト外部制御回路１９ｂの動作を説明する。ＰＯＳ端末１０において、人感センサ３１を用いる場合に、選択回路１９３の入力は、ＡＮＤ回路１９２の出力端子側に切り替え設定されている。図５に示すように、ＲＩ信号は、ＰＯＳ端末１０の電源が入っているか否かに関わらず、ＰＯＳ端末１０に入力されている。
【００６２】
ＲＩ信号がハイアクティブであるため、人感センサ３１により人間が検知されている場合に、ＲＩ信号がハイとなり、ＡＮＤ回路１９２の出力（信号Ｉnv＿En）は、信号Ｓ２そのものとなる。このため、ＰＯＳ電源オンからＯＳ画面表示、省電力設定によるバックライト１７１の消灯、ＯＳ画面表示からＰＯＳ電源オンまでの動作は、人感センサ３１を用いない場合と同様である。
【００６３】
ＰＯＳ端末１０において、ＯＳが立ち上がり、業務が始まった状態で、人感センサ３１により人間が検知されなくなると、ＲＩ信号がロー（オン）になる。ＲＩ信号がローになるので、信号Ｓ２に関わらず、ＡＮＤ回路１９２の出力（信号Ｉnv＿En）がロー（オフ）となり、インバータ１７２の駆動オフにより、バックライト１７１が消灯される。
【００６４】
この状態で、人感センサ３１により人間が検知されると、ＲＩ信号がハイ（オフ）になる。ＲＩ信号がハイになるので、ＡＮＤ回路１９２の出力（信号Ｉnv＿En）が信号Ｓ２と同じになり、信号Ｓ２がオン（ハイ）であるため、インバータ１７２の駆動オンにより、バックライト１７１が点灯され、ＯＳ画面が表示再開される。このように、バッファ回路２０のＲＩ信号線に人感センサ３１を接続しておけば、顧客がいないときに表示部１７を消灯しておくことができる。なお、アプリケーションプログラムは、ＯＳプログラムの起動中に適宜起動される。
【００６５】
以上、本実施の形態によれば、ＰＯＳ端末１０は、駆動制御するための信号に応じて駆動するインバータ１７２と、インバータ１７２の駆動を制御する表示バックライト外部制御回路１９ｂと、人感センサ３１に接続するためのＣＯＭ通信部２１と、人感センサ３１に接続されている信号線を分岐するバッファ回路２０と、インバータ１７２の駆動のオン／オフを制御するための制御信号を生成する表示バックライトインバータ制御部１８と、を備える。また、表示バックライト外部制御回路１９ｂは、表示バックライトインバータ制御部１８により生成された信号Ｓ２と、バッファ回路２０から出力される人間の検知信号としてのＲＩ信号と、を論理積してインバータ１７２に出力するＡＮＤ回路１９２を備える。
【００６６】
このため、ＨＤＤ１４に記憶されるアプリケーションプログラムにインバータ１７２の駆動制御機能を組み込むことなく、表示バックライト外部制御回路１９ｂにより、表示バックライトインバータ制御部１８により生成される駆動制御信号と、人感センサ３１による人間の検知信号とに応じてインバータ１７２の駆動を容易に制御でき、人間の検知信号に応じたバックライト１７１の点灯／消灯の制御を容易に行うことができる。より具体的には、人間が検知された場合にバックライト１７１を点灯制御でき、人間が検知されていない場合にバックライト１７１を消灯制御できる。また、表示バックライト外部制御回路１９ｂによるハード制御であるので、アプリケーションプログラムの開発及び設定のコストを低減できる。
【００６７】
また、顧客がいない場合に、バックライト１７１を消灯するので、省電力を実現できるとともに、バックライト１７１の寿命を長くすることができる。
【００６８】
また、バッファ回路２０において、人感センサ３１に接続されているＲＩ信号線が分岐されて表示バックライト外部制御回路１９ｂに接続されている。このため、バッファ回路２０に接続する人感センサ３１に、人間の検知信号以外のＣＯＭ通信の信号線の通信機能を組み込むことを不要にでき、人感センサ３１の装置構成を簡単にできる。
【００６９】
また、ＰＯＳ端末１０は、レジ端末、キオクス端末又はＰＯＰ端末として使用可能である。このため、店舗用に汎用性の高いＰＯＳ端末が実現できる。店舗にとっては、同じ機器を多目的に利用できるので保守用の予備機の台数を減らすことができる。
【００７０】
また、表示バックライトインバータ制御部１８は、電源供給部１９ａから出力される信号Ｖinvが少なくともハイにされた状態で、ハイにされる信号Ｓ２を生成して出力する。ＡＮＤ回路１９２は、この信号Ｓ２と、ＲＩ信号と、を論理積して信号Ｉnv＿Ｅnとしてインバータ１７２に出力する。このため、ＲＩ信号のオン／オフに関わらず、信号Ｖinvがオフの場合に、ハイの駆動制御信号（信号Ｉnv＿Ｅn）がインバータ１７２に流れてインバータ１７２を痛めることを防ぐことができる。
【００７１】
また、表示バックライト外部制御回路１９ｂは、ＡＮＤ回路１９２の出力端子と、表示バックライトインバータ制御部１８の信号Ｓ２の出力端子と、を切り替えてインバータ１７２の入力端子に接続する選択回路１９３を備える。つまり、バッファ回路２０に人感センサ３１を接続しない場合には、選択回路１９３によりインバータ１７２への出力を表示バックライトインバータ制御部１８の出力端子側に切り替え選択し、表示バックライトインバータ制御部１８の信号Ｓ１，Ｓ２に従って、通常のインバータ１７２の駆動制御を行うことができる。このため、人感センサ３１を接続する場合としない場合とを容易に切り替え選択することができるとともに、人感センサ３１を接続しない場合にも、表示バックライト外部制御回路１９ｂ及びバッファ回路２０が、通常のＰＯＳ端末（レジ端末、キオクス端末、ＰＯＰ端末）の各種処理を阻害することを避けることができる。
【００７２】
なお、上記実施の形態における記述は、本発明に係る駆動制御装置の一例であり、これに限定されるものではない。
【００７３】
例えば、上記実施の形態においては、表示バックライトインバータ制御部１８が制御部１１から独立している構成としたが、これに限定されるものではない。表示バックライトインバータ制御部１８と同様に、制御部１１が信号Ｓ１，Ｓ２を生成し、制御部１１のＣＰＵチップセットのＧＰＩＯ（General Purpose Input/Output）の出力端子から信号Ｓ１，Ｓ２を出力して電源供給部１９ａ及び表示バックライト外部制御回路１９ｂに出力する構成としてもよい。
【００７４】
また、上記実施の形態においては、人感センサ３１がバッファ回路２０及びＣＯＭ通信部２１を介してＰＯＳ端末１０に接続される構成としたが、これに限定されるものではない。例えば、バッファ回路２０及びＣＯＭ通信部２１と同様にして、人感センサ３１等の外部機器が、バッファ回路と、ＵＳＢ（Universal Serial Bus）通信部、プリンタ通信部、ディスプレイ通信部等、他の通信方式の通信部と、を介してＰＯＳ端末１０に接続される構成としてもよい。
【００７５】
また、上記実施の形態においては、ＰＯＳ端末１０に人感センサ３１を接続する構成としたが、これに限定されるものではない。人感センサ３１の接続先の装置としては、ＰＣ（Personal Computer）、ドライブスルーの注文端末等、他の情報処理装置としてもよい。
【００７６】
また、上記実施の形態においては、駆動手段を、表示部１７のインバータ１７２としたが、これに限定されるものではない。駆動手段としては、スピーカのアンプ、ＨＤＤの（磁気記憶媒体を回転する）モータ等、他の部品としてもよい。駆動手段がスピーカのアンプである場合には、例えば、人感センサ３１が顧客を検知し、ＰＯＳ端末１０に操作をするため顧客が近づいた場合に、顧客を検知したことを示す検知信号に応じて、アンプを介してスピーカから、操作に関する案内音声等を音出力開始する構成をとることが可能である。この構成により、省電力を実現できるとともに、アンプの寿命を長くすることができる。駆動手段がＨＤＤのモータである場合には、例えば、人感センサ３１が顧客を検知し、顧客がいない間、ＨＤＤ１４のモータの駆動を停止しておき、ＰＯＳ端末１０に操作をするため顧客が近づいた場合に、モータの回転駆動を開始する構成をとることが可能である。この構成により、省電力を実現できるとともに、ＨＤＤの寿命を長くすることができる。
【００７７】
また、上記実施の形態においては、ＰＯＳ端末１０に接続される外部機器を、人感センサとしたが、これに限定されるものではない。外部機器としては、照度センサ、音センサ等、他の機器としてもよい。外部機器が照度センサである場合には、例えば、照度センサにより検知したＰＯＳ端末１０周囲の照度が高くなった場合に、バックライト１７１を点灯させる構成としてもよい。この構成により、照度に応じてバックライト１７１を容易に点灯／消灯制御できる。外部機器が音センサである場合には、例えば、ＰＯＳ端末１０に人が近づき、音センサにより、近づいた人の音を検知した場合に、バックライト１７１を点灯させる構成としてもよい。この構成により、検知した音に応じてバックライト１７１を容易に点灯／消灯制御できる。
【００７８】
また、上記実施の形態におけるＰＯＳ端末１０の各構成要素の細部構成及び細部動作に関しては、本発明の趣旨を逸脱することのない範囲で適宜変更可能であることは勿論である。
【符号の説明】
【００７９】
１０，４０  ＰＯＳ端末
１１，１１Ａ  制御部
１２  ＲＡＭ
１３  フラッシュメモリ
１４，１４Ａ  ＨＤＤ
１５  通信部
１６  入力部
１７  表示部
１７１  バックライト
１７２  インバータ
１８，１８Ａ  表示バックライトインバータ制御部
１９ａ  電源供給部
１９１  ＦＥＴ
１９ｂ  表示バックライト外部制御回路
１９２  ＡＮＤ回路
１９３  選択回路
２０  バッファ回路
２１，２２，２３，２４  ＣＯＭ通信部
２５，２５Ａ  バス
３１，５１  人感センサ
３２  決済端末
３３  バーコードリーダ
３４  プリンタ
【図１】
2010170374.tif 000003
【図２】
2010170374.tif 000004
【図３】
2010170374.tif 000005
【図４】
2010170374.tif 000006
【図５】
2010170374.tif 000007
【図６】
2010170374.tif 000008